(57)【要約】【課題】  建設機械のフロアマットを清掃する際、水洗いした水を建設機械のキャブ本体に形成した乗降口から自動的に排水できるとともに、建設機械の運転時、オペレータがフロアマットに足を乗せてもオペレータに不快感を与えることがなく、キャブ内の居住性を向上させることのできる建設機械のフロアマットを提供する。【解決手段】  建設機械のキャブのフロアを形成する床板４上に敷設されるフロアマットＡにおいて、前記フロアマット本体５の上面部６を水平面とするとともに、該上面６より１段へこませた溝部９を前記キャブの乗降口１ｃ側に向けて下向きに傾斜させて設けた。さらに、フロアマットの本体５の周縁には、乗降口１ｃが形成されるキャブ本体１の側面部１ｂ側を除いて、フロアマット本体５の周縁から上方に立ち上がる略コ字状の縁部１０を設けた。【選択図】  図１
2005146555.tif 000002
【特許請求の範囲】
【請求項１】
建設機械のキャブのフロア上に敷設されるフロアマットにおいて、前記フロアマットの上面を水平面とするとともに、該上面より１段へこませた溝部を前記キャブの乗降口側に向けて下向きに傾斜させて設けたことを特徴とする建設機械のフロアマット。
【請求項２】
前記フロアマットの上面は、前記乗降口方向から乗降口の反対方向に延びる横長の概略矩形形状とし、靴の滑り止めを兼ねた構成とした請求項１に記載の建設機械のフロアマット。
【請求項３】
前記フロアマットの乗降口側を除く縁部は、上方に立ち上がっている構成とした請求項１又は２のいずれかに記載の建設機械のフロアマット。
【発明の詳細な説明】
【技術分野】
【０００１】
本発明は、例えば油圧ショベル等の建設機械のキャブのフロア上に敷設されるフロアマットに関する。
【背景技術】
【０００２】
一般に、油圧ショベル等の建設機械のキャブの床板には、オペレータの足元に伝わる振動や衝撃を緩衝するとともに、オペレータがキャブ内に乗降する際のスリップを防止する等のために、図３，４に示すように、運転席の前側に位置して弾性樹脂材料によって略長方形状に形成されたフロアマットが敷設されている。
【０００３】
図３，４において、５１は建設機械のキャブを構成するキャブ本体であり、キャブ本体５１の片側の側面部にはドアー５２によって開閉される乗降口５１ｅが設けられている。また、キャブ本体５１の前面部５１ａ、後面部５１ｂ、側面部５１ｃ，５１ｄには、その下方に位置して床用ブラケット５３が固着されている。該床用ブラケット５３には、床板５４が一体に取り付けられる。該床板５４には、キャブ５１の後面部５１ｂ側に位置して運転席５５が設けられている。
【０００４】
運転席５５の前側に位置して床板５４上に敷設されるフロアマットＡ’は、オペレータがキャブ内に乗降するときの足載場となる凹陥部５７と、該凹陥部５７を外側から取り囲むようにキャブ本体５１の乗降口５１ｅに向けて略コ字状に延び、床板５４に対して上向きに嵩上げされた嵩上げ部としての枠部５８とによって構成されている。該枠部５８の前側部分には走行用操作レバー５６等が挿通される開口が形成されている。また、フロアマットの裏面側には格子状の突部５９が突設され、オペレータが凹陥部５７上に足を乗せたときのクッション性を高めている。
【０００５】
ところで、油圧ショベル等の建設機械は、泥濘地等で使用されることが多く、オペレータがキャブ内に乗降するたびに、靴等に付着した土砂がフロアマット上に落ちてこのフロアマットを汚してしまうため、頻繁に清掃する必要がある。
このフロアマットの清掃を容易にするため、図３，４に示すフロアマットＡ’は、フロアマットの凹陥部５７が、乗降口５１ｅ側に向け一定の傾斜角をもって下向きに傾斜した傾斜面部５７ａと、該傾斜面部５７ａの周囲から上向きに立ち上がった略コ字状の立ち上がり壁部５７ｂとから構成されている。さらに、この凹陥部５７の傾斜面部５７ａは、その左端側がキャブ本体５１の乗降口５１ｅ下側縁部５１ｅ1の高さ位置とほぼ一致するように配置されている。
【０００６】
図３，４に示すフロアマットＡ’によれば、フロアマットＡ’の清掃時、フロアマットＡ’を水洗いした水は傾斜面部５７ａに沿って乗降口５１ｅ側に向けて導かれ、乗降口５１ｅから外部に自動的に排出することができる。このため、フロアマットＡ’の清掃が容易になり、フロアマットＡ’の清掃時の全体の作業性を高めることができる。図３，４に示すフロアマットの先行技術文献としては、後掲する特許文献１がある。
【０００７】
さらに、建設機械のフロアマットの清掃を容易にするため、図５に示すようなフロアマットも提案されている。図５において、フロアマットＡ”の表面は、運転室前部および後部のフロアマット表面を高くし、フロアマット前後方向の央部側に向かって順次低くなるよう傾斜する傾斜面に形成されるとともに、運転室側方のドアーの開口と反対側のフロアマット表面を高くし、運転室側方のドアーの開口に向かって順次低くなるように傾斜する傾斜面に形成されている。
【０００８】
さらに、傾斜面に形成されたフロアマットＡ”の表面７１には、フロアマットＡ”の傾斜面に沿って、滑り止めのための複数条の凸部７２が、左右に横断する方向にフロアマットＡ”の傾斜面に沿って形成されている。これら凸部７２は、中央部が後方へ向けて凸状の、平面視で全体として略円弧形状とされ、その円弧の左右の２箇所に切欠き７２ａを有する形状とされている。各凸部７２の幅は、互いに隣接する凸部７２間に形成される凹部７３の幅に対して狭くなるように形成され、これによって凹部７３に沿って土砂および清掃水がスムーズに流れるようにされている。また、フロアマットＡ”には、運転室のドアーの側(出入り口側)を除く部分であって、前部および右側部周縁に上方へ向けて折曲した折曲部７４が設けられており、これによってフロアマットＡ”の周縁から土砂および清掃水が裏面に入り込むのを防ぐようにしている。なお、フロアマットＡ”の前部に形成された段上がり部７５の略中央部には、一対の蒲鉾状のフットレス部７５ａ，７５ａと、フットレス部７５ａ，７５ａに挟まれるように配置された操行ペダル用カバー部７５ｂがフロアマットＢ”と一体に設けられている。操行ペダル用カバー部７５ｂには操行ペダルが挿通する開口が形成されている。
【０００９】
図５に示すフロアマットＡ”によれば、フロアマットＡ”の表面を清掃する際に、土砂および清掃水の運転室央部および左方向への流れを形成することができ、これによって土砂および清掃水を運転室のドアーの開口を通して運転室外へ排出することができ、フロアマットの洗浄を容易に行うことができる。図５に示すフロアマットの先行技術文献としては、後掲する特許文献２がある。
【００１０】
【特許文献１】特開２０００−１７６９１号公報（第３頁３欄４７行〜同頁４欄２２行、第４頁５欄１８行〜同頁６欄３行並びに図２〜５等参照）
【特許文献２】特開２００２−３２１５５７号公報（第３頁４欄７〜１５行、第３頁４欄３２〜４２行並びに図２乃至４等参照)
【発明の開示】
【発明が解決しようとする課題】
【００１１】
前述した図３，４に示すフロアマットや図５に示すフロアマットは、フロアマットを清掃する際、フロアマットを水洗いした水を乗降口から外部に自動的に排出させることができるように、フロアマットの表面は、乗降口に向けて下向きに傾斜した傾斜面として形成されている。このため、建設機械の運転時、オペレータがフロアマットに足を乗せた場合、前記傾斜面によってオペレータの足が傾くことになり、オペレータに不快感を与えるという問題があった。
【００１２】
本発明の課題は、建設機械のフロアマットを清掃する際、水洗いした水を建設機械のキャブ本体に形成した乗降口から自動的に排水できるとともに、建設機械の運転時、オペレータがフロアマットに足を乗せてもオペレータに不快感を与えることがなく、キャブ内の居住性を向上させることのできる建設機械のフロアマットを提供することにある。
【課題を解決するための手段】
【００１３】
前記課題を達成するために、請求項１の発明は、建設機械のキャブのフロア上に敷設されるフロアマットにおいて、前記フロアマットの上面を水平面とするとともに、該上面より１段へこませた溝部を前記キャブの乗降口側に向けて下向きに傾斜させて設けたものである。
【００１４】
請求項２の発明は、請求項１の発明において、前記フロアマットの上面を、前記乗降口方向から乗降口の反対方向に延びる横長の概略矩形形状とし、靴の滑り止めを兼ねた構成としたものである。
【００１５】
さらに、請求項３の発明は、請求項１又は２の発明において、前記フロアマットの乗降口側を除く縁部は、上方に立ち上がる構成としたものである
【発明の効果】
【００１６】
請求項１の発明によれば、フロアマットの上面を水平面とするとともに、該上面より１段へこませた溝部を前記キャブの乗降口側に向けて下向きに傾斜させて設けた構成であるから、フロアマットの清掃時、フロアマットを水洗いした後の水は、乗降口に向けて傾斜した溝部に沿って導かれ、乗降口から外部に自動的に排出することができるとともに、フロアマットの上面は、水平面として構成されているので、建設機械の運転時、オペレータがフロアマットに足を乗せてもオペレータの足が傾くことがないので、オペレータに不快感を与えることがなく、キャブ内の居住性が向上する。
【００１７】
さらに、請求項２の発明によれば、請求項１の発明において、フロアマットの上面部は、前記乗降口方向から乗降口の反対方向に延びる横長の概略矩形形状とされ、靴の滑り止めを兼ねる構成とされており、請求項１の発明の効果に加え、キャブへの乗降時、スリップすることがなく、キャブへの乗降が容易になる。
【００１８】
さらに、請求項３の発明によれば、請求項１又は２の発明において、フロアマットの乗降口側を除く縁部は、上方に立ち上がる構成とされており、請求項１又は２の発明の効果に加え、フロアマットの周縁から土砂および清掃水がフロアマットの裏面に入り込むのを防ぐことができる。
【発明を実施するための最良の形態】
【００１９】
以下、本発明の建設機械のキャブ本体内に敷設されるフロアマットの実施の形態を、図１，２に基づいて説明する。図1は、建設機械のキャブの部分斜視図であり、図２は、建設機械の正面部分断面図である。
【００２０】
図１，２において、符号１は建設機械のキャブを構成するキャブ本体であり、キャブ本体１の片側の側面部にはドアー（図示せず）によって開閉される乗降口１ｃが設けられている。また、キャブ本体１の前面部（図示せず）、後面部（図示せず）、側面部１ａ，１ｂには、その下方に位置して床用ブラケット３が固着されている。該床用ブラケット３には、ボルト(図示せず)等によって床板４が一体に取り付けられ、フロアを形成している。該床板４には、キャブ本体の１の後面部側に位置してオペレータシート１１が設けられている。オペレータシート１１の左、右両側には作業用操作レバー１１ａ，１１ｂ、各種計器類(図示せず)等が設置されている。なお、符号２は、該側面部１ａの室内側露出部を覆うようにキャブ本体１の側面部１ａに取り付けたカバーである。
【００２１】
オペレータシート１１より前側に位置する床板４の上には、その略全面にわたって、ウレタン樹脂等の弾性樹脂材料によって一体成形されたフロアマットＡが敷き詰められている。該フロアマットＡは、オペレータがキャブ内に乗降するときの足置場となる略矩形状のフロアマット本体５と、乗降口１ｃが形成されるキャブ本体１の側面部１ｂ側を除いて、フロアマット本体５の周縁から上方に立ち上がる略コ字状の縁部１０を備えている。そして、縁部１０が形成されないフロアマットＡの乗降口側端部は、乗降口１ｃが形成されるキャブ本体５の側面部１ｂに接するように構成されている。
【００２２】
略コ字状の縁部１０は、前面部側縁部１０ａ、側面部側縁部１０ｂ、後面部側縁部１０ｃから形成されており、フロアマット本体５の上面よりも上方に延びている。前面部側縁部１０ａは、その上端面がキャブ本体１の前後方向に幅広になるように肉厚に形成されており、建設機械の走行時、フットレストとして機能する。側面部側縁部１０ｂは、前記前面部側縁部１０ａより薄肉に形成され、その上端部が、キャブ本体１の側面部１ａを覆うカバー２に接するようにされている。後面部側縁部１０ｃは、側面部側縁部１０ｂと略等しい肉厚に形成され、オペレータシート３の脚部に接している。なお、前面部側縁部１０ａには、走行用レバー等が挿通される開口を設けるようにすることもできる。
【００２３】
フロアマット本体５は、所定の厚みを有し、その上面６は水平面として形成され、その裏面７はキャブ本体１の側面部１ａ側からキャブ本体１の側面部１ｂに向けて下向きに傾斜する傾斜面として形成されている。さらに、フロアマット本体５の裏面７側には、オペレータがフロアマット本体５の上面６に足を載せたときのクッション性等を高めるための格子状の突部８が多数突接されている。この多数の格子状の突部８の高さは、フロアマットＡを床板４上に敷設したとき、フロアマット本体５の上面６が、床板４の上面と略平行な水平面となるように、フロアマット本体５の裏面７の傾斜にあわせてキャブ本体１の側面部１ａ側からキャブ本体１の側面部１ｂ側に向けて順次低くなるように構成されている。なお、フロアマット本体５の裏面７の傾斜は、後述する溝部９の傾斜と略等しい傾斜角度とすることが好ましい。
【００２４】
さらに、フロアマット本体５の上面６側には、フロアマット本体５の上面６より一段へこませた溝部９が、キャブ本体１の側面部１ａ側からキャブ本体１の乗降口１ｃ側に向けて下向きに傾斜させて設けられており、フロアマットの清掃時、水洗いした水が自動的に乗降口１ｃから排出されるようになっている。
【００２５】
図１に示す形態では、フロアマット本体５の上面６より一段へこませた溝部９は、キャブ本体１の側面部１ａ側からキャブ本体１の乗降口１ｃ側に向けて略同一溝幅で略等間隔に配置された複数、例えば４つ、の横溝９ａ，９ｂ，９ｃ，９ｄと、キャブ本体１の側面部１ａ側において該複数の横溝９ａ〜９ｄを連通する縦溝９ｅと、キャブ本体１の乗降口１ｃ側において該複数の横溝９ａ〜９ｄを連通するとともに、キャブ本体の乗降口１ｃ側に連通する縦溝９ｆとから構成されており、フロアマット本体５の上面６は、乗降口１ｃ側から乗降口１ｃの反対方向に延びる複数、例えば３つ、の横長の略矩形形状６ａ，６ｂ，６ｃとして形成される。そして、溝部９の深さは、キャブ本体１の側面部１ａ側で浅く、キャブ本体１の乗降口１ｃ側に向かうにしたがって順次深くなるようにされており、溝部９は、全体としてキャブ本体１の側面部１ａ側からキャブ本体１の乗降口１ｃ側に向けて下向きに連続的して傾斜する構成とされる。さらに、溝部９の乗降口側端９ｇの底部は、乗降口１ｃの下側縁部１ｃ1高さ位置とほぼ一致するか、あるいはわずかに高い位置になるように配置されている。なお、溝９ａ〜９ｆは、フロアマット本体５の上面６を形成する横長の略矩形形状６ａ，６ｂ，６ｃの両端部が図１平面視において、凸の丸みを有するように形成してもよい。
【００２６】
このように構成された実施の形態のフロアマットＡによれば、フロアマット本体５の上面６を水平面とするとともに、該上面６より１段へこませた溝部９をキャブの乗降口１ｃ側に向けて下向きに傾斜させて設けた構成であるから、フロアマットＡの清掃時、フロアマットＡを水洗いした水は、乗降口１ｃに向けて傾斜した溝部９に沿って導かれ、乗降口１ｃから外部に自動的に排出することができる。さらに、フロアマット本体５の上面６は、水平面として構成されており、建設機械の運転時、オペレータがフロアマットＡに足を乗せてもオペレータの足が傾くことがないので、オペレータに不快感を与えることがなく、キャブ内の居住性が向上する。
【００２７】
また、溝部９の乗降口側端９ｇの底部は、乗降口１ｃの下側縁部１ｃ1高さ位置とほぼ一致するか、あるいはわずかに高い位置になるように配置されており、フロアマットＡを水洗いした水がフロアマットＡ上にとどまることがなく、残らず乗降口１ｃから排出することができる。
【００２８】
さらに、溝部９を構成するキャブ本体１の側面部１ａ側からキャブ本体１の乗降口１ｃ側に向けて略同一溝幅で略等間隔に配置された複数の横溝９ａ〜９ｄは、キャブ本体１の側面部１ａ側において縦溝９ｅによって連通し、乗降口１ｃ側において縦溝９ｆによって連通しているため、溝部９の容積を大きくすることができ、フロアマットＡの清掃時、大量の水を使用しても、水洗いした水をスムーズに乗降口１ｃから排出することができる。なお、フロアマット本体５の上面６を形成する３つの横長の略矩形形状６ａ，６ｂ，６ｃの端部が凸の丸みを持つように形成すれば、キャブ本体１の側面部１ａ側の該端部に水洗いした水がとどまることがない。
【００２９】
さらに、フロアマット本体５の上面６は、溝部９によって乗降口１ｃ側から乗降口１ｃの反対方向に延びる複数の横長の略矩形形状６ａ，６ｂ，６ｃとして形成されているので、フロアマット本体５の上面６を靴の滑り止めとして兼用することができ、作業の安全性が向上するとともに、別途靴の滑り止めを必要としないので、フロアマットの構成を簡略化することができる。また、フロアマット本体５の裏面７側を溝部９の傾斜と略同一の傾斜角度とすることによって、フロアマットＡを成形する材料を節減することができる。
【００３０】
加えて、フロアマット本体５の乗降口１ｃ側を除く縁部１０は、フロアマット本体５の上面よりも上方に立ち上がる構成とされているので、フロアマットの周縁から土砂および清掃水等がフロアマットの裏面に入り込むのを防ぐことができ、床板４を汚すことがない。
【００３１】
以上、本発明の実施の形態について説明したが、本発明は、前述した実施の形態に限定されず種々の設計変更が可能であり、それらはいずれも本発明に含まれる。
【００３２】
例えば、溝部を構成する横溝の数は、４本に限らず、適宜の数とすることができる。また、横溝を連通する縦溝は設けない構成としてもよい。さらに、横溝はフロアマットの縁部に対して必ずしも平行に設ける必要はなく、例えば、斜め状、ジグザグ状等適宜の形状とすることができる。また、フロアマットの裏面は、必ずしもを傾斜面とする必要はなく、例えば、フロアマット本体の上面と平行であってもよい。
【００３３】
さらに、本発明は、前述した実施の形態に限定されず、前掲した特許文献１及び２に記載されたものを含み、種々の形状のフロアマットに適用可能である。
【図面の簡単な説明】
【００３４】
【図１】本発明の実施の形態に係るフロアマットを敷設した建設機械のキャブの部分斜視図。
【図２】本発明の実施の形態に係るフロアマットを敷設した建設機械のキャブの正面部分断面図。
【図３】従来技術のフロアマットを敷設した建設機械のキャブの横断面図。
【図４】図４に示す建設機械のキャブの正面断面図。
【図５】他の従来技術のフロアマットの斜視図。
【符号の説明】
【００３５】
Ａ          フロアマット
１          建設機械のキャブ本体
２          カバー
３          床用ブラケット
４          床板
５          フロアマット本体
６          フロアマット本体の上面
７          フロアマット本体の裏面
８          格子状突部
９          溝部
１０        縁部
【図１】
2005146555.tif 000003
【図２】
2005146555.tif 000004
【図３】
2005146555.tif 000005
【図４】
2005146555.tif 000006
【図５】
2005146555.tif 000007